(57)【特許請求の範囲】
【請求項１】
板状の光透過基板に表示体が表示された表示板であって、
前記光透過基板の背面において前記表示体の表示領域を除いた部分であって、かつ前記表示体の表示領域の周縁部分に透明層を介して設けられた光反射層と、
前記光透過基板−前記透明層間に配され、前記表示体の表示領域と、前記光反射層の前記表示体の表示領域側の縁よりも外側であって、かつ前記縁から一定距離内の領域と、を除いた部分に設けられた遮光層と、
を備えたことを特徴とする表示板。
【請求項２】
板状の光透過基板に表示体が表示された表示板であって、
前記光透過基板の背面において前記表示体の表示領域を除いた部分であって、かつ前記表示体の表示領域の周縁部分に透明層を介して設けられた光反射層と、
前記光透過基板の正面に配され、前記表示体の表示領域と、前記光反射層の前記表示体の表示領域側の縁よりも外側であって、かつ前記縁から一定距離内の領域と、を除いた部分に設けられた遮光層と、
を備えたことを特徴とする表示板。
【請求項３】
前記光反射層が金属調処理で形成されていることを特徴とする請求項１又は２記載の表示板。
【発明の詳細な説明】
【技術分野】
【０００１】
本発明は、表示板に係り、特に板状の光透過基板に表示体が表示された表示板に関するものである。
【背景技術】
【０００２】
上述した従来の表示板としては、例えば図１に示すように、車両に搭載されたスピードメータ１０やタコメータ１１などのメータに用いられる文字板が一般的に知られている。これらメータ１０、１１は、図２に示すように、表面に目盛、数字、文字又は記号等の表示体が設けられた表示板としての文字板１２と、この文字板１２の正面に配置される指針１３と、文字板１２の背面に配置され、例えば車速やエンジン回転数などの計測量に応じて指針１３を駆動する内機１４と、文字板１２の背面に設けられ内機１４が搭載される配線板１５と、この配線板１５上に搭載されるとともに背面から文字板１２を照らす光源１６と、光源１６からの光を文字板１２に反射する反射面１７とを備えている。
【０００３】
さらにメータは、上述した文字板１２、指針１３、配線板１５、反射面１７を収容するケース１８と、ケース１８の背面を覆う裏カバー１９と、ケースの１８の正面を覆う表ガラス２０とを備えている。
【０００４】
上述した文字板１２は一般的に図１１に示すような構成となっている。文字板１２は、板状の光透過板１２１から構成されている。この光透過板１２１の正面には、上記目盛、数字、文字、記号などの表示体を透光性の顔料で印刷して設けた表示印刷層１２２が積層されている。また、この光透過板１２１の正面の前記表示体の表示領域を除いた部分には２度にわたって遮光性の顔料を印刷して設けた２段の遮光印刷層１２３が積層されている。また、この遮光印刷層１２３の正面には、文字板１２の地色が印刷された装飾印刷層１２４が積層されている。さらに、光透過板１２１の背面の表示印刷層１２２と対向する部分には、調光印刷層１２５が積層されている。調光印刷層１２５は、背面から光透過板１２１、表示印刷層１２２を通過する光量を調整するための層であり、例えば網点や、白色が印刷されている。
【０００５】
以上の構成によれば、昼間は正面からの自然光により文字板１２が照らされて表示体を視認することができる。夜は背面からの光源１６により文字板１２が照らされて表示体が光輝して表示体を視認することができる。
【０００６】
しかしながら、図１１に示すような構成の文字板１２では、装飾効果が不足するという問題点があった。そこで、例えば特許文献１に示される方法にて、文字板１２上の表示体を立体的に表示して、装飾効果を向上させたものが考えられている。特許文献１に記載された方法によれば、ベース層（＝光透過板）の正面に透明凹凸印刷を施している。透明凹凸印刷は、表示体の陰影部分に一定方向に沿った平行直線状の凹凸が形成され、陰影部分以外は凹凸が形成されず平坦になるように施されている。この透明凹凸印刷層の凹凸部と、この凹凸部以外の平坦な部分との光反射条件が異なる結果、凹凸部分である表示体の陰影部が暗く見え、表示体が浮き上がって見える。
【特許文献１】特開平５−１１３７６３号公報
【特許文献２】実開平５−３８５２９号公報
【発明の開示】
【発明が解決しようとする課題】
【０００７】
しかしながら、表示体の陰影部を暗く見せるだけで、立体的表示には不足している。しかも透明凹凸印刷を施す必要があり工法上特殊であり、コスト的に問題があった。
【０００８】
そこで、本発明は、上記のような問題点に着目し、安価に、より立体感のある表示体を表示することができる表示板を提供することを課題とする。
【課題を解決するための手段】
【０００９】
上記課題を解決するためになされた請求項１記載の発明は、板状の光透過基板に表示体が表示された表示板であって、前記光透過基板の背面において前記表示体の表示領域を除いた部分であって、かつ前記表示体の表示領域の周縁部分に透明層を介して設けられた光反射層と、前記光透過基板−前記透明層間に配され、前記表示体の表示領域と、前記光反射層の前記表示体の表示領域側の縁よりも外側であって、かつ前記縁から一定距離内の領域と、を除いた部分に設けられた遮光層と、を備えたことを特徴とする表示板に存する。
【００１０】
請求項２記載の発明は、板状の光透過基板に表示体が表示された表示板であって、前記光透過基板の背面において前記表示体の表示領域を除いた部分であって、かつ前記表示体の表示領域の周縁部分に透明層を介して設けられた光反射層と、前記光透過基板の正面に配され、前記表示体の表示領域と、前記光反射層の前記表示体の表示領域側の縁よりも外側であって、かつ前記縁から一定距離内の領域と、を除いた部分に設けられた遮光層と、を備えたことを特徴とする表示板に存する。
【００１１】
請求項１及び２記載の発明によれば、正面から光透過基板に入射して光反射層で反射した光の中には、直ぐに視認者視線に到達するものもあれば、その後光透過基板の正面と光反射層との間で１回反射した後、視認者視線に到達するものもある。また、光透過基板の正面と光反射層との間で２回反射した後、視認者視点に到達するものもあれば、３回反射した後、視認者視点に到達するものもある。このため、光反射層の実像に加えて、複数の光反射層の虚像が反射経路に応じた距離毎に視認される。また、正面から光透過基板に入射して光反射層で反射した光の中には、光透過基板−透明層の境界と光反射層との間で１回反射した後、視認者視点に到達するものもあれば、２回反射した後、視認者視点に到達するものもある。このため、透明層を設けることにより、より反射経路が増えて、表示体を縁取る一定距離幅の光反射層の虚像がより多く視認される。従って、表示体を縁取った一定距離幅の光反射層の実像に加えて、複数の光反射層の虚像が視認されるため、透明凹凸印刷など特殊な工法を施さなくても表示体が立体的に視認される。
【００１２】
請求項３記載の発明は、前記光反射層が金属調処理で形成されていることを特徴とする請求項１又は２記載の表示板に存する。
【００１３】
請求項３記載の発明によれば、光反射層が金属調処理で形成されているため、確実に光反射層で光を反射できると共に意匠性向上を図ることができる。
【発明の効果】
【００１７】
以上説明したように請求項１及び２記載の発明によれば、表示体を縁取った一定距離幅の光反射層の実像に加えて、複数の光反射層の虚像が視認されるため、透明凹凸印刷など特殊な工法を施さなくても表示体が立体的に視認されるので、安価に、より立体感のある表示体を表示することができる。
【００１８】
請求項３記載の発明によれば、光反射層が金属調処理で形成されているため、確実に光反射層で光を反射できると共に意匠性向上を図ることができる。
【発明を実施するための最良の形態】
【００２０】
以下、本発明の実施の形態を図面に基づいて説明する。本実施形態では、例えば図１に示すように車両に搭載されたスピードメータ１０やタコメータ１１などのメータに用いられる文字板１２（＝表示板）について説明する。これらメータ１０、１１は、図２に示すように、文字板１２、指針１３、内機１４、配線板１５、光源１６、反射面１７、ケース１８、裏カバー１９及び表ガラス２０を備えている。詳しい構成については、図２について上述した背景技術ですでに説明したのでここでは詳細な説明は省略する。
【００２１】
次に文字板１２について説明する。図３は、図１に示す文字板１２の正面概略図である。図４（ａ）は、図３に示す文字板１２のＩＩＩ部分拡大図であり、（ｂ）は図３に示す文字板１２のＩＩ−ＩＩ線部分断面図である。図３に示すように、文字板１２には、目盛２１、数字２２といった様々な表示体が表示されている。図４に示すように、文字板１２は光透過性を有する合成樹脂若しくはアクリルなどの材料により形成された板状の透明基板２３（＝光透過基板）を備えている。透明基板２３には、透明層２４を介してメタル層２５（＝光反射層）が設けられている。
【００２２】
この透明層２４及びメタル層２５は、透明基板２３の背面の目盛２１、数字２２といった表示体の表示領域Ｒ１（図５の一点鎖線で示す領域）が切り欠かれて形成されている。つまり、透明層２４及びメタル層２５は、表示体の表示領域Ｒ１を除いた部分であって、かつ少なくとも表示体の表示領域Ｒ１の周縁部分に設けられている。上記透明層２４は、例えば透明基板２３の背面上に透明樹脂を印刷して形成される。メタル層２５は、例えばミクロンオーダの金属片（アルミ片、クロム片など）が含有されたインクを印刷して形成される。
【００２３】
また、図４に示すように、透明基板２３−透明層２４間には、遮光層２６が設けられている。遮光層２６は、透明基板２３−透明層２４間の表示体の表示領域Ｒ１（図５の一点鎖線で示す領域）と、メタル層２５の表示体の表示領域Ｒ１側の縁Ｅ１よりも外側であって、かつ縁Ｅ１から一定距離Ｌ内の領域Ｒ２（図５の斜線で示す領域）とを除いた部分に設けられている。遮光層２６は、文字板の地色としての例えば金属色の光遮光性のインクを印刷して形成される。また、透明基板２３の背面には、メタル層２５の上から表示体の表示色である例えばスモーク色などの光透過性のインクが印刷された表示層２７が積層されている。
【００２４】
以上の構成によれば正面から視認すると、図５に示すように、表示体の表示領域Ｒ１には、透明基板２３を介して表示層２７が視認される。また、表示体の表示領域Ｒ１の周縁部分である領域Ｒ２には、透明基板２３及び透明層２４を介してメタル層２５が視認される。さらに、表示体の表示領域Ｒ１及び領域Ｒ２以外の部分には、透明基板２３を介して遮光層２６が視認される。
【００２５】
以上の構成の文字板１２の正面から入射される光について図６及び図７を参照して以下説明する。正面から透明基板２３に入射してメタル層２５で反射した光ＬＬの中には、図６に示すように、直ぐに視認者視点ｅｙｅに到達する光ＬＬ1もあれば、その後透明基板２３の正面とメタル層２５との間で１回反射した後、視認者視点ｅｙｅに到達する光ＬＬ2もある。また図示はしないが、透明基板２３の正面とメタル層２５との間で２回反射した後、視認者視点ｅｙｅに到達する光もあれば、３回反射した後、視認者視点ｅｙｅに到達する光もある。即ち、正面から透明基板２３に入射された光が視認者視点ｅｙｅに到達するまでの反射経路は複数ある。このため、メタル層２５の実像に加えて、複数のメタル層２５の虚像ＶＩが複数の反射経路に応じた距離毎に視認される。
【００２６】
次に、虚像ＶＩに見える位置について説明する。まず、図６に示すように、正面から透明基板２３に入射してメタル層２５の縁Ｅ１で反射する光ＬＬについて考えてみる。縁Ｅ１で反射して直ぐに視認者視点ｅｙｅに到達する光ＬＬ1によって視認者はメタル層２５の縁Ｅ１の実像を視認する。一方、縁Ｅ１で反射した後、透明基板２３の正面で反射し、メタル層２５の点Ｐ1で反射してから視認者視点ｅｙｅに到達する光ＬＬ2によって視認者は視認者視点ｅｙｅとメタル層２５上の点Ｐ1とを結ぶ直線上の点Ｐ1から距離Ｌ1だけ離れた位置にメタル層２５の縁Ｅ１の虚像を視認する。距離Ｌ1は、光ＬＬがメタル層２５の縁Ｅ１で反射されてからメタル層２５の点Ｐ1に到達するまでの光路距離に等しい。
【００２７】
また、正面から透明基板２３に入射してメタル層２５で反射した光ＬＬの中には、図７に示すように、直ぐに視認者視点ｅｙｅに到達する光ＬＬ1もあれば、その後透明基板２３−透明層２４の境界とメタル層２５との間で１回反射した後、視認者視点ｅｙｅに到達する光ＬＬ3もあれば、２回反射した後、視認者視点ｅｙｅに到達する光ＬＬ4もある。同様に、図示しないが３回反射した後、視認者視点ｅｙｅに到達するものもあれば、４回、５回…と反射した後、視認者視点ｅｙｅに到達する光もある。このため、透明層２４を設けることにより、より反射経路が増えて、より多くの表示体を縁取るメタル層２５の虚像ＶＩが視認される。
【００２８】
次に、虚像ＶＩに見える位置について説明する。まず、図７に示すように、正面から透明基板２３に入射してメタル層２５の縁Ｅ１で反射する光ＬＬについて考えてみる。縁Ｅ１で反射して直ぐに視認者視点ｅｙｅに到達する光ＬＬ1によって視認者は、メタル層２５の縁Ｅ１の実像を視認する。一方、縁Ｅ１で反射した後に透明基板２３−透明層２４の境界で反射してメタル層２５の点Ｐ2で反射してから視認者視点ｅｙｅに到達する光ＬＬ3によって視認者は、視認者視点ｅｙｅとメタル層２５上の点Ｐ2とを結ぶ直線上の点Ｐ2から距離Ｌ2だけ離れた位置にメタル層２５の縁Ｅ１の虚像を視認する。距離Ｌ2は、光ＬＬがメタル層２５の縁Ｅ１で反射されてからメタル層２５の点Ｐ2に到達するまでの光路距離に等しい。
【００２９】
また、縁Ｅ１で反射した後に透明基板２３−透明層２４の境界とメタル層２５との間で２回反射してメタル層２５の点Ｐ3で反射してから視認者視点ｅｙｅに到達する光ＬＬ4によって視認者は視認者視点ｅｙｅとメタル層２５上の点Ｐ3とを結ぶ直線上の点Ｐ3から距離Ｌ3だけ離れた位置にメタル層２５の縁Ｅ１の虚像を視認する。距離Ｌ3は、光ＬＬがメタル層２５の縁Ｅ１で反射されてからメタル層２５の点Ｐ3に到達するまでの光路距離に等しい。
【００３０】
従って、図４（ａ）に示すように、メタル層２５の縁Ｅ１の実像ＲＩｅに加えて、複数のメタル層２５の縁Ｅ１の虚像ＶＩｅが重なって視認される。また、遠く見える虚像ＶＩｅほど実像ＲＩｅに対して外側に離れて見える。また、反射回数が多く、遠くに見える虚像ＶＩｅほど薄く見える。このため、透明凹凸印刷など特殊な工法を施さなくても表示体が立体的に視認され、安価に、より立体感のある表示体を表示することができる。図８（ａ）は、図４に示す構成の文字板１２を実際に作成して、正面から写真を取ったものであり、図８（ｂ）は図８（ａ）の部分拡大図である。同図からも明らかなように、表示体が立体的に視認されている。
【００３１】
上述した文字板１２によれば、光反射層であるメタル層２５が金属で形成されているため、確実にメタル層２５で光を反射できると共に意匠性向上を図ることができる。
【００３２】
上述した文字板１２によれば、遮光層２６が、透明基板２３−透明層２４間の表示体の表示領域Ｒ１とメタル層２５の縁Ｅ１よりも外側であって、かつ縁Ｅ１から一定距離Ｌ内の領域Ｒ２とを除いた部分に設けられている。従って、表示体を縁取る一定距離Ｌ１幅にメタル層２５の虚像が複数視認され、表示体の周縁が強調されて、より立体感のある表示体を表示することができる。
【００３３】
なお、上述した実施形態によれば、透明基板２３−透明層２４との間に遮光層２６を設けていたが、本発明はこの限りではない。図９に示すように、透明基板２３の正面の表示体の表示領域Ｒ１とメタル層２５の縁Ｅ１よりも外側であって、かつ縁Ｅ１から一定距離Ｌ内の領域Ｒ２とを除いた部分に遮光層２６を設けても図４に示す実施形態と同様の効果を得ることができる。
【００３４】
また、上述した実施形態によれば、遮光層２６を設けていたが、本発明はこの限りではない。例えば、図１０に示すように、遮光層２６を設けないことも考えられる。この場合も、表示体の表示領域Ｒ１を除いた部分に施されたメタル層２５の実像に加えて、虚像が複数視認されることにより、立体感のある表示体を表示することができる。
【００３５】
また、上述した実施形態によれば、透明基板２３の背面には、メタル層２５の上から表示層２７が設けられていたが、本発明はこの限りではない。例えば、図９及び図１０に示すように、表示体に着色する必要がなければ、表示層２７を設けなくてもよい。
【００３６】
また、上述した実施形態によれば、光反射層としてのメタル層２５を金属で形成していたが、本発明はこの限りではない。光反射層とは光を反射する部材であればよく、例えば白色印刷であってもよい。
【００３７】
また、上述した実施形態によれば、透明層２４及び光反射層であるメタル層２５を印刷により設けていたが、本発明はこの限りではない。その他に、蒸着、塗装、転写、シート貼付などにより透明層２４及びメタル層２５を設けることも考えられる。
【００３８】
また、上述した実施形態によれば、メタル層２５は、透明基板２３の背面の表示体の表示領域Ｒ１を除いた部分全体に設けられていたが、本発明はこの限りではない。メタル層２５は、透明基板２３の背面の表示体の表示領域Ｒ１を除いた部分であって、かつ少なくとも表示体の周縁に相当する部分に設けていればよい。
【００３９】
また、上述した実施形態によれば、光透過基板を透明基板２３で構成していたが、本発明はこの限りではない。つまり、光透過基板は、光透過性の基板であればよく、メタル層２５の虚像を視認できる程度の透明度を持っていれば多少着色したものであってもよい。
【００４０】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４１】
【図１】本発明の表示板としての文字板を組み込んだメータの正面図である。
【図２】図１に示すメータのＩ−Ｉ線断面図である。
【図３】図１に示す文字板１２の正面概略図である。
【図４】（ａ）は図３に示す文字板のＩＩＩ部分拡大図であり、（ｂ）は図３に示す文字板のＩＩ−ＩＩ線部分断面図である。
【図５】図３に示す文字板のＶ部分拡大図である。
【図６】図４に示す文字板のＶＩ部分拡大図である。
【図７】図４に示す文字板のＶＩ部分拡大図である。
【図８】（ａ）は図２に示す構成の文字板１２を実際に作成して、正面から写真を取ったものであり、（ｂ）は（ａ）の部分拡大図である。
【図９】他の実施形態における図３に示す文字板のＩＩ−ＩＩ線部分断面図である。
【図１０】他の実施形態における図３に示す文字板のＩＩ−ＩＩ線部分断面図である。
【図１１】従来の表示板としての文字板の部分断面図である。
【符号の説明】
【００４２】
１２  文字板（表示板）
２１  目盛（表示体）
２２  数字（表示体）
２３  透明基板（光透過基板）
２４  透明層
２５  メタル層
２６  遮光層
Ｌ    一定距離
【図１】
0004704925.tif 000002
【図２】
0004704925.tif 000003
【図３】
0004704925.tif 000004
【図４】
0004704925.tif 000005
【図５】
0004704925.tif 000006
【図６】
0004704925.tif 000007
【図７】
0004704925.tif 000008
【図９】
0004704925.tif 000009
【図１０】
0004704925.tif 000010
【図１１】
0004704925.tif 000011
【図８】
0004704925.tif 000012